(57)【要約】      （修正有）【課題】  固定向けデジタル放送及携帯向けデジタル放送を容易に選択することが可能なデジタルデータ受信機を提供することを目的とする。【解決手段】  表示部（６０）と、固定向け放送サービスに係る複数の固定向けチャンネルと携帯向け放送サービスに係る複数の携帯向けチャンネルとを記憶するための記憶部（３３）と、固定向けチャンネルに係る第１のデータを生成する第１データ生成部（１８、２０）と、携帯向けチャンネルに係る第２のデータを生成する第２データ生成部（１９、２１）と、第１及び第２のデータの受信状態を検出する検出部（１２、３４）と、表示部に検出部の検知結果に基づいて固定向けチャンネル又は携帯向けチャンネルの中から受信状態が良好なチャンネルを選択して自動的にプリセット表示する表示制御部（３４）とを有することを特徴とするデジタルデータ受信機（１０）。【選択図】      図１
2007006334.tif 000002
【特許請求の範囲】
【請求項１】
固定向け放送サービスと携帯向け放送サービスとを受信可能なデジタルデータ受信機であって、
表示部と、
前記固定向け放送サービスに係る複数の固定向けチャンネルと前記携帯向け放送サービスに係る複数の携帯向けチャンネルとを記憶するための記憶部と、
前記表示部に、前記複数の固定向けチャンネルの一部と前記複数の携帯向けチャンネルの一部とを混合してプリセット表示するように制御する表示制御部と、
を有することを特徴とするデジタルデータ受信機。
【請求項２】
固定向け放送サービスと携帯向け放送サービスとを受信可能なデジタルデータ受信機であって、
表示部と、
前記固定向け放送サービスに係る複数の固定向けチャンネルと前記携帯向け放送サービスに係る複数の携帯向けチャンネルとを記憶するための記憶部と、
前記固定向けチャンネルに係る第１のデータを生成する第１データ生成部と、
前記携帯向けチャンネルに係る第２のデータを生成する第２データ生成部と、
前記第１及び第２のデータの受信状態を検出する検出部と、
前記表示部に、前記検出部の検知結果に基づいて、前記固定向けチャンネル又は前記携帯向けチャンネルの中から受信状態が良好なチャンネルを選択して自動的にプリセット表示する表示制御部と、
を有することを特徴とするデジタルデータ受信機。
【請求項３】
前記表示制御部は、固定向けチャンネルを優先的にプリセット表示する、請求項１又は２の記載のデジタルデータ受信機。
【請求項４】
前記表示制御部が、固定向けチャンネルを優先的にプリセット表示するか、携帯向けチャンネルを優先的にプリセット表示するかを設定するための優先チャンネル設定部をさらに有する、請求項１又は２に記載のデジタルデータ受信機。
【請求項５】
前記表示部にプリセット表示される前記固定向けチャンネル又は前記携帯向けチャンネルをマニュアルによって選択することを可能とするマニュアル設定部をさらに有する、請求項１〜４の何れか一項に記載のデジタルデータ受信機。
【請求項６】
前記表示制御部は、前記検出部の検知結果に基づいて、前記固定向けチャンネルの中から受信状態が良好なチャンネルを選択して自動的にプリセット表示する、請求項２〜５の何れか一項に記載のデジタルデータ受信機。
【請求項７】
前記表示制御部が、前記固定向けチャンネルを自動的にプリセット表示するのか、前記携帯向けチャンネルを自動的にプリセット表示するのか、前記固定向けチャンネル及び前記携帯向けチャンネルを自動的にプリセット表示するのかを設定するための自動チャンネル設定部をさらに有する、請求項２〜６の何れか一項に記載のデジタルデータ受信機。
【請求項８】
固定向け放送サービスと携帯向け放送サービスとを受信可能なデジタルデータ受信機であって、
前記固定向け放送サービスに係る複数の固定向けチャンネルと前記携帯向け放送サービスに係る複数の携帯向けチャンネルとを記憶するための記憶部と、
前記複数の固定向けチャンネルの一部と前記複数の携帯向けチャンネルの一部とを混合してプリセット表示するための表示部と、
前記固定向けチャンネルに係る第１のデータを生成する第１データ生成部と、
前記携帯向けチャンネルに係る第２のデータを生成する第２データ生成部と、
前記第１及び第２のデータの受信状態を検出する検出部と、
前記検出部の検知結果に基づいて、前記表示部に表示された前記複数の固定向けチャンネルの一部又は前記複数の携帯向けチャンネルの一部のプリセット表示を更新する表示制御部と、
を有することを特徴とするデジタルデータ受信機。
【請求項９】
前記表示部にプリセット表示される前記固定向けチャンネル又は前記携帯向けチャンネルをマニュアルによって選択することを可能とするマニュアル設定部をさらに有する、請求項８に記載のデジタルデータ受信機。
【請求項１０】
前記表示制御部が、前記固定向けチャンネルを更新するのか、前記携帯向けチャンネルを更新するのか、前記固定向けチャンネル及び前記携帯向けチャンネルを更新するのかを設定するための更新チャンネル設定部をさらに有する、請求項８又は９に記載のデジタルデータ受信機。
【発明の詳細な説明】
【技術分野】
【０００１】
本発明は、デジタル放送受信機等のデジタルデータ受信機に関するものである。
【背景技術】
【０００２】
日本の地上波デジタルテレビ放送では、伝送特性の異なる複数の階層を同時に伝送する階層伝送が可能である。そこで、例えば、デジタル放送による同一チャネル内で異なった種類の符号化されたデジタルデータ（ＭＰＥＧ２、ＭＰＥＧ４又はＨ．２６４等）を受信し、受信状態に応じて一方の種類の符号化されたデジタルデータに切替える技術が知られている（例えば、特許文献１）。
【０００３】
また、固定向けデジタル放送における番組ガイドデータ（ＥＰＧデータ）と携帯向けデジタル放送における番組ガイドデータを、切り替えて表示しようとすることが知られている（例えば、特許文献２）。
【０００４】
【特許文献１】特開２００２−１５８７２６号公報（２頁、図１）
【特許文献２】特開２００１−１９７３９４号公報（６頁、図３）
【発明の開示】
【発明が解決しようとする課題】
【０００５】
デジタル放送では、固定向けデジタル放送及び携帯向けデジタル放送で同じ番組を放送している場合（サイマル放送）や異なる番組を放送している場合がある。また、サイマル放送の場合には、デジタルデータ受信機の位置によって、必ずしも固定向けデジタル放送及び携帯向けデジタル放送を両方とも良好に受信することができない場合や、ユーザの好みによって一方のデジタル放送のみを視聴したいという場合もある。さらに、デジタル放送では、多数のチャネル（１３〜５９ｃｈ）で放送が予定されている。
【０００６】
即ち、ユーザは、デジタル放送を視聴する場合、多くのチャンネルが存在する上に、固定向けと携帯向けという、さらに２種類（３種類）の選択を行う必要があった。しかしながら、このような状況において、簡単に番組を選択することができるようなデジタルデータ受信機は提案されていなかった。
【０００７】
そこで、本発明は、固定向けデジタル放送及び携帯向けデジタル放送を容易に選択することが可能なデジタルデータ受信機を提供することを目的とする。
【０００８】
さらに、本発明は、受信状態に応じた固定向けデジタル放送及び携帯向けデジタル放送を容易に選択することが可能なデジタルデータ受信機を提供することを目的とする。
【課題を解決するための手段】
【０００９】
上記課題を解決するために、本発明に係るデジタルデータ受信機は、表示部と、固定向け放送サービスに係る複数の固定向けチャンネルと携帯向け放送サービスに係る複数の携帯向けチャンネルとを記憶するための記憶部と、表示部に複数の固定向けチャンネルの一部と複数の携帯向けチャンネルの一部とを混合してプリセット表示するように制御する表示制御部とを有することを特徴とする。
【００１０】
上記課題を解決するために、本発明に係るデジタルデータ受信機は、表示部と、固定向け放送サービスに係る複数の固定向けチャンネルと携帯向け放送サービスに係る複数の携帯向けチャンネルとを記憶するための記憶部と、固定向けチャンネルに係る第１のデータを生成する第１データ生成部と、携帯向けチャンネルに係る第２のデータを生成する第２データ生成部と、第１及び第２のデータの受信状態を検出する検出部と、表示部に検出部の検知結果に基づいて固定向けチャンネル又は携帯向けチャンネルの中から受信状態が良好なチャンネルを選択して自動的にプリセット表示する表示制御部とを有することを特徴とする。
【００１１】
また、本発明に係るデジタルデータ受信機では、表示制御部は、固定向けチャンネルを優先的にプリセット表示することが好ましい。通常、固定向けチャンネルの方が画質が高い場合が多いことから、固定向けチャンネルと携帯向けチャンネルの両方が視聴できる場合には、固定向けチャンネルを優先してプリセットできるように構成した。
【００１２】
さらに、本発明に係るデジタルデータ受信機では、表示制御部が、固定向けチャンネルを優先的にプリセット表示するか、携帯向けチャンネルを優先的にプリセット表示するかを設定するための優先チャンネル設定部を有することが好ましい。ユーザの好みに応じて対応できるように構成した。
【００１３】
さらに、本発明に係るデジタルデータ受信機では、表示部にプリセット表示される固定向けチャンネル又は携帯向けチャンネルをマニュアルによって選択することを可能とするマニュアル設定部を有することが好ましい。自動的にプリセット表示されるだけでなく、ユーザが指定したチャンネルもプリセット表示できるように構成した。
【００１４】
さらに、本発明に係るデジタルデータ受信機では、表示制御部は、検出部の検知結果に基づいて、固定向けチャンネルの中から受信状態が良好なチャンネルを選択して自動的にプリセット表示することが好ましい。受信状態に基づいてプリセット表示するチャンネルが選択されるように構成した。
【００１５】
さらに、本発明に係るデジタルデータ受信機では、表示制御部が、固定向けチャンネルを自動的にプリセット表示するのか、携帯向けチャンネルを自動的にプリセット表示するのか、固定向けチャンネル及び携帯向けチャンネルを自動的にプリセット表示するのかを設定するための自動チャンネル設定部を有することが好ましい。ユーザの好みに応じて対応できるように構成した。
【００１６】
上記課題を解決するために、本発明に係るデジタルデータ受信機は、固定向け放送サービスに係る複数の固定向けチャンネルと携帯向け放送サービスに係る複数の携帯向けチャンネルとを記憶するための記憶部と、複数の固定向けチャンネルの一部と複数の携帯向けチャンネルの一部とを混合してプリセット表示するための表示部と、固定向けチャンネルに係る第１のデータを生成する第１データ生成部と、携帯向けチャンネルに係る第２のデータを生成する第２データ生成部と、第１及び第２のデータの受信状態を検出する検出部と、検出部の検知結果に基づいて表示部に表示された複数の固定向けチャンネルの一部又は複数の携帯向けチャンネルの一部のプリセット表示を更新する表示制御部とを有することを特徴とする。
【００１７】
また、本発明に係るデジタルデータ受信機では、表示部にプリセット表示される固定向けチャンネル又は携帯向けチャンネルをマニュアルによって選択することを可能とするマニュアル設定部を有することが好ましい。ユーザの好みに応じて対応できるように構成した。
【００１８】
また、本発明に係るデジタルデータ受信機では、表示制御部が、固定向けチャンネルを更新するのか、携帯向けチャンネルを更新するのか、固定向けチャンネル及び携帯向けチャンネルを更新するのかを設定するための更新チャンネル設定部を有することが好ましい。ユーザの好みに応じて対応できるように構成した。
【発明の効果】
【００１９】
本発明に係るデジタルデータ受信機によれば、固定向けチャンネルと携帯向けチャンネルとを混合してプリセット表示することができるので、固定向けチャンネルと携帯向けチャンネルに拘らず、容易にチャンネルを選択することが可能となった。
【００２０】
また、本発明に係るデジタルデータ受信機によれば、受信状態に応じて、固定向けチャンネルと携帯向けチャンネルとを混合してプリセット表示することができるので、視聴することができないチャンネルを選択してしまうことを防止することが可能となった。
【００２１】
さらに、本発明に係るデジタルデータ受信機によれば、一旦プリセット表示されたチャンネルを、受信状態に応じて更新することができるので、受信状態の変化に対応することが可能となった。
【発明を実施するための最良の形態】
【００２２】
以下図面を参照して、本発明に係るデジタルデータ（放送）受信機について説明する。
【００２３】
図１は、本発明に係わるデジタルデータ受信機１０の概要を示すブロック図である。
【００２４】
デジタルデータ受信機１０は、チューナ部１２、ＯＦＤＭ復調処理部１４、ＴＳデコード処理部１６、第１音声デコーダ１８、第２音声デコーダ１９、第１映像デコーダ２０、第２映像デコーダ２１、音声切換処理部２２、映像切換処理部２４、提示処理部２６、遅延回路３０、Ｄ／Ａ変換器３１、ＲＡＭ３２、ＲＯＭ３３、制御部３４、Ｉ／Ｏ３５及びシステムバス３６等から構成されている。また、デジタルデータ受信機１０は、アンテナ４０、車載用のスピーカ５０及び表示部６０及びリモコン７０と接続されている。
【００２５】
デジタルデータ受信機１０は、リモコン７０及び／又は表示部６０に設けられた各種入力装置（ボタンやつまみ等）、表示部６０の表示画面上に配置されたタッチパネルＳＷ６２からの操作入力によって制御される。なお、デジタルデータ受信機１０に、前述したアンテナ４０、車載用のスピーカ５０及び表示部６０及びリモコン７０の何れか１つ又は複数を含むように構成しても良い。
【００２６】
チューナ部１２は、アンテナ４０より放送波を受信し、制御部３４の指示による帯域に存在するＯＦＤＭ（Orthogonal Frequency Division Multiplexing）信号を抽出して、内蔵するＡＧＣ（Auto Gain Control）回路によってレベル調整後、ＯＦＤＭ復調処理部１４へ送る。なお、ＯＦＤＭ信号は、ＡＧＣ信号によって、所望のレベルに制御される。また、チューナ部１２は、ＡＧＣ信号をシステムバス３６を介して制御部３４に送信する。制御部３４は、ＡＧＣ信号の電圧値に応じて、受信感度のレベルを判別することができる。
【００２７】
ＯＦＤＭ復調処理部１４は、デジタル変調されたＯＦＤＭ信号の復調を行い、誤り訂正処理等を行って、ＴＳ（トランスポート・ストリーム）パケット信号をＴＳデコード処理部１６へ送る。また同時に、ＯＦＤＭ復調処理部１４は、トランスポートエラー（ＴＳ−ＥＲＲ）：Ａ、Ｂ及びＣをシステムバス３６を介して制御部３４へ送信する。ＴＳ−ＥＲＲ：Ａは、携帯向けデジタル放送エラーを示し、ＴＳ−ＥＲＲ：Ｂ又はＣは、固定放送向けエラーを示している。
【００２８】
ＴＳデコード処理部１６は、ＴＳパケット信号を、フィルタリング（選別）し、必要なデータだけを対応するデコーダに引き渡す。具体的には、固定向けデジタル放送（家庭用の一般向け）に対応し、ＭＰＥＧ２方式によって符号化された符号化デジタルデータを音声と映像に分離して、第１音声デコーダ１８へ及び第１映像デコーダ２０へ引渡し、携帯向けデジタル放送に対応し、Ｈ．２６４方式（ＭＰＥＧ−４Ｐａｒｔ１０としても知られる映像圧縮方式の一つ）（又はＭＰＥＧ４方式）によって符号化された符号化デジタルデータを音声と映像に分離して、第２音声デコーダ１９及び第２映像デコーダ２１へ引渡す。また、ＴＳデコード処理部１６は、同時に固定向けデジタル放送データのデコードエラー信号及び携帯向けデジタル放送データのデコードエラー信号をシステムバス３６を介して制御部３４へ送る。さらに、ＴＳデコード処理部１６は、ＴＳパケット信号からＰＳＩ（番組特定情報）データ又はＳＩ（サービス情報、番組配列情報）を取得し、システムバス３６を介して制御部３４へ送信する。
【００２９】
固定向けデジタル放送の符号化デジタルデータは、ＭＰＥＧ２方式で符号化されたものであって、高品質であるが、ビットレートが高いことからノイズ耐性が弱く、放送局からの距離が長くなると、良好な受信が困難となる場合がある。これに対して、携帯向けデジタル放送の符号化デジタルデータは、Ｈ．２６４方式（又はＭＰＥＧ４方式）で符号化されたものであって、ＭＰＥＧ２方式に比べるとビットレートが低いため、ノイズ耐性が強く、放送局からの距離がより長くなっても良好に受信することが可能となる。
【００３０】
ＯＦＤＭ方式では、同時に３種類の信号キャリアを搬送することができるので、最大３種類のデータをＴＳデコード処理部１６から分離することができるが、本実施形態では、ＭＰＥＧ２方式と、Ｈ．２６４方式（又はＭＰＥＧ４方式）とで符号化された２種類の符号化デジタルデータを取扱っている。しかしながら、これに限定されることなく、第３音声デコーダ及び第３映像デコーダを設けることもできる。
【００３１】
第１音声デコーダ１８及び第１映像デコーダ２０は、ＴＳデコード処理部１６から受信した符号化されたデジタルデータのビットストリームをデコードして、固定向けデジタル放送（ＭＰＥＧ２方式）における、音声出力用の第１音声データ及び表示用の第１映像データを生成する。また、第２音声デコーダ１９及び第２映像デコーダ２１は、ＴＳデコード処理部１６から受信した符号化されたデータのビットストリームをデコードして、携帯向けデジタル放送（Ｈ．２６４方式又はＭＰＥＧ４方式）における、音声出力用の第２音声データ及び表示用の第２映像データを生成する。
【００３２】
第１及び第２音声デコーダ１８及び１９からの第１音声データ及び第２音声データは、制御部３４の制御によって音声切換処理部で何れか一方が選択され、遅延回路３０にて所定の遅延処理が成されて映像データと同期を取った後、Ｄ／Ａ変換器３１によってアナログ信号に変換されて、スピーカ５０から出力される。
【００３３】
第１及び第２映像デコーダ２０及び２１からの第１映像データ及び第２映像データは、制御部３４の制御によって映像切換処理部２４で何れか一方が選択され、提示処理部２６において後述する演算処理がなされた後、表示部６０に表示される。
【００３４】
提示処理部２６は、選択された固定向けデジタル放送又は携帯向けデジタル放送の映像データを、表示部６０に適合させて表示させるための処理部であって、映像データを一時記憶するためのＶＲＡＭ等の記憶部２７、後述するように、第１映像データ又は第２映像データから静止画像データ（フリーズ画像データ）の生成、補間処理、置換処理等を含む演算処理を行う演算処理部２８等を有している。
【００３５】
制御部３４は、ＲＡＭ３２及びＲＯＭ３３を利用しながら、予めインストールされているプログラムにしたがって動作し、システムバス３６と接続されている各要素の制御を行う。また、制御部３４は、チューナ部１２からのＡＧＣ信号、ＯＦＤＭ復調処理部１４からのＴＳ−ＥＲＲ：Ａ及びＢ（又はＣ）、及びＴＳデコード処理部１６からのデコードエラー信号を受信し、各信号の全て又は一部に基づいて固定向け放送及び携帯向け放送の受信状態の判別を行う。
【００３６】
図２は、自動プリセットの処理フローの一例を示す図である。
【００３７】
図２のフローは、主に、デジタルデータ受信機１０の制御部３４が、予めインストールされたプログラムに従い、デジタルデータ受信機１０の各要素と連携して実行する。また、デーデジタルデータ受信機１０は、図２のフローが実行される時点で、電源がＯＮされ、各種機能が動作可能な状況になるものとする。
【００３８】
また、本実施形態では、図２の処理フローは、後述するオートプリセットボタン（図４の１２５参照）がユーザによって選択された場合に開始されるように設定されている。
【００３９】
制御部３４は、チューナ部１２を制御して、デジタル放送受信帯域の下限（上限から又は任意の周波数から開始しても良い）から、スキャンを開始し、予め設定されている各チャンネルの周波数毎に同調を行い（Ｓ２０１）、各チャンネルにおける固定向けデジタル放送の受信状態及び携帯向けデジタル放送の受信状態を取得する（Ｓ２０２）。
【００４０】
各チャンネルの受信状態は、チューナ部１２からのＡＧＣ信号に基づいて行うものとする。即ち、ＡＧＣ信号が予め定められた閾値電圧値より大きい場合には受信状態が良好であり、ＡＧＣ信号が閾値電圧値以下の場合には受信状態が不良であると判断する。また、前述したように、チューナ部１２からのＡＧＣ信号以外にも、ＯＦＤＭ復調処理部１４からのＴＳ−ＥＲＲ：Ａ及びＢ（又はＣ）及びＴＳデコード処理部１６からのデコードエラー信号を用いて、またはＡＧＣ信号と共に受信状態を判断することも可能である。
【００４１】
なお、本実施形態では、各チャンネルにおける固定向けデジタル放送（ＭＰＥＧ２方式）と携帯向けデジタル放送（Ｈ．２６４方式又はＭＰＥＧ４方式）の番組を区別するために、各放送の番組を図３に示すように、固定向け放送チャンネル３０１及び携帯向け放送チャンネル３０２として取り扱うものとする。したがって、図３において、サイマル放送の場合には、上下のチャンネルはそれぞれ同じ番組を放送することとなる。また、図３に示すチャンネルの関係はＲＯＭ３３等に予め記憶されているものとする。
【００４２】
次に、制御部３４は、Ｓ２０２で取得した受信状態に基づいて全ての固定向け放送チャンネルの内から受信状態が良好なものを決定する（Ｓ２０３）。なお、受信状態が良好な固定向け放送チャンネルの数をＮ個とする。また、制御部３４は、Ｓ２０２で取得した受信状態に基づいて全ての携帯向け放送チャンネルの内から受信状態が良好なものを決定する（Ｓ２０４）。なお、受信状態が良好な携帯向け放送チャンネルの数をＭ個とする。
【００４３】
次に、Ｎが８以上か否かの判断を行い（Ｓ２０５）、Ｎが８以上の場合には、全ての固定向け放送チャンネルをプリセット表示して（Ｓ２０６）、一連の動作を終了する。なお、本実施形態において、Ｎと比較する「８」は後述する表示画面（図４参照）における最大表示プリセット数に対応している。したがって、表示画面のフォーマット等に最適な「８」以外の他の整数を選択することが可能である。
【００４４】
Ｓ２０５で、Ｎが８より小さい場合には、全ての固定向け放送チャンネルをプリセットし（Ｓ２０７）、Ｓ２０４で決定された携帯向け放送チャンネルの内、ＡＧＣ信号レベルの高い方から、（８−Ｎ）個分だけプリセット表示して（２０８）一連の動作を終了する。
【００４５】
図４は、表示部６０に表示される表示画面の一例を示す図である。
【００４６】
図４に示すように、表示部６０には、表示画面１００とその周囲に設けられたチューニング用のボタン１５１及び１５２と、シークボタン１５３が設けられている。ユーザは、チューニングボタン１５１及び１５２を用いてマニュアルで固定向け放送チャンネル又波は携帯向け放送チャンネルを選択することが可能である。また、シークボタン１５３を用いると、自動的に特定の方向（例えば、同調周波数を上げる方向）にスキャンが開始され、最初に同調されたチャンネルが選択される。なお、表示部６０に周囲には、他の用途のための各種ボタンやつまみ等を設けることができる。
【００４７】
表示画面１００には、現在選択されている放送チャンネルの番号等を表示するチャンネル表示部１０１、現在選択されている放送チャンネの映像を表示する表示領域１０２、プリセット表示された放送チャンネルの番号を示す８つの表示領域１１１〜１１８、プリセット表示可能な放送チャンネルが８つ以上の場合に、初期画面に表示されていない放送チャンネルの番号の表示領域を表示させるための上下ボタン１２２及び１２３、マニュアルプリセットを行うためのマニュアルプリセットボタン１２４、自動的にプリセットを行うためのオートプリセットボタン１２５が表示されている。なお、図４の表示画面は一例であって、他のボタンや領域を表示させる等、さまざまな改変が可能である。
【００４８】
図４の場合は、Ｓ２０３で受信状態が良好と判別された固定向け放送チャンネルの番号が「１０１」、「１１１」、「１２１」、「１５１」及び「１８１」であり（Ｎ＝５）、Ｓ２０４で受信状態が良好と判別された携帯向け放送チャンネルの内、ＡＧＣ信号レベルが高いほうから３つの番号が「２２１」、「２２２」及び「２７１」であった場合を示している。なお、Ｓ２０３で、受信状態が良好と判別された固定向け放送チャンネルが、例えば１０個あった場合、放送チャンネルの番号が小さいほうから８つを表示し、上下ボタン１２２及び１２３を利用して他の２つを表示できるように設定している。ユーザが、プリセット領域１１１〜１１８に表示された何れかの放送チャンネルの番号の表示領域１１１〜１１８の近傍を押圧すると、タッチパネルＳＷ６２によって、押圧位置に応じた放送チャンネルが選択され、それに対応した同調がチューナ部１２で行われて、その放送チャンネルに対応した映像が表示領域１０２に表示され、音声がスピーカ５０から出力される。
【００４９】
また、ユーザは、マニュアルプリセットボタン１２４を選択することにより、ユーザの好みの放送チャンネルの番号を常に、プリセット領域１１１〜１１８の何れかに表示するように設定することもできる。図４の場合、ユーザは８つの放送チャンネルの番号の表示領域１１１〜１１８の全てをマニュアル設定することもできるし、好みの個数のみをマニュアル設定することもできる。８より少ない数のマニュアル設定が行われた場合、残りについてだけ、図２の処理フローに従って、自動プリセット表示が実行される。
【００５０】
このように、固定向け放送チャンネルの番号と携帯向け放送チャンネルの番号とを、混合してプリセット表示したので、ユーザは容易にその時点で選択することができる放送チャンネルを固定向け及び携帯向けに拘らず選択することが可能となった。
【００５１】
上述したように、図２に示す処理フローは、図４に示すオートプリセットボタン１２５がユーザによって選択された場合に、実行されるように設定した。しかしながら、一旦プリセットされた放送チャンネルも、デジタルデータ受信装置１０が搭載されている車両が移動したり、気象状況が変化したりすることによって受信状態が変化することが考えられる。したがって、一旦オートプリセットがなされた後に、プリセット表示された放送チャンネルの番号を更新することが好ましい。そこで、プリセット表示された放送チャンネルの番号の更新方法について以下に説明する。
【００５２】
図５は、プリセットの更新処理フローの一例を示す図である。
【００５３】
図５のフローは、主に、デジタルデータ受信機１０の制御部３４が、予めインストールされたプログラムに従い、デジタルデータ受信機１０の各要素と連携して、各プリセットされた放送チャンネル毎に実行する。また、デーデジタルデータ受信機１０は、図５のフローが実行される時点で、一旦図２に示したオートプリセットが実行された後であって、電源がＯＮされ、各種機能が動作可能な状況になるものとする。
【００５４】
最初、制御部３４は、設定されている放送チャンネルの番号に対応する固定向け放送データの受信状態を取得し（Ｓ５０１）、受信状態を判別する（Ｓ５０２）。受信状態は、図２の処理フローと同様に、チューナ部１２からのＡＧＣ信号レベルによって判断する。
【００５５】
Ｓ５０２において、受信状態が良好であれば、設定されている放送チャンネルに対応する固定向け放送チャンネルをプリセットして（Ｓ５０３）、１つのプリセット表示された放送チャンネルの番号に対する処理フローを終了する。即ち、当初プリセット表示されていた放送チャンネルの番号が固定向けであれば、そのまま固定向けの放送チャンネルの番号がプリセット表示され、当初プリセット表示されていた放送チャンネルの番号が携帯向けであれば、携帯向け放送チャンネルの番号に対応した固定向けの放送チャンネルの番号がプリセットし直されて表示される。
【００５６】
Ｓ５０２において、受信状態が不良の場合には、設定されている放送チャンネルの番号に対応する携帯向け放送データの受信状態を取得し（Ｓ５０４）、受信状態を判別する（Ｓ５０５）。
【００５７】
Ｓ５０５において、受信状態が良好であれば、設定されている放送チャンネルの番号に対応する携帯向け放送チャンネルの番号をプリセットして（Ｓ５０６）、１つのプリセット表示された放送チャンネルの番号に対する処理フローを終了する。即ち、当初プリセット表示されていた放送チャンネルの番号が固定向けであれば、携帯向け放送チャンネルの番号にプリセットし直されて表示され、当初プリセット表示されていた放送チャンネルの番号が携帯向けであれば、そのまま携帯向け放送チャンネルの番号がプリセット表示される。
【００５８】
Ｓ５０５において、受信状態が不良であれば、固定向け及び携帯向け放送チャンネルも受信状態が不良であるので、プリセット表示が消去され（Ｓ５０７）、１つのプリセット表示された放送チャンネルの番号に対する処理フローを終了する。
【００５９】
図５に示す更新処理フローは、１つのプリセット表示された放送チャンネルの番号に対する処理フローであるので、図５に示す処理フローは全てのプリセット表示された放送チャンネルの番号に対して実行される（即ち、全部で８回）。また、図５に示す処理フローは、例えば、所定時間（例えば１０分毎）や、所定移動距離（例えば１０ｋｍ）毎に、自動的に実行されることが好ましい。
【００６０】
図６は、更新処理フローによる表示画面の変更例を示した図である。
【００６１】
図６（ａ）は図４に示した時点と同じ表示画面であり、図６（ｂ）は図５に示す更新処理フローによって変更された表示画面の一例を示している。
【００６２】
図６の場合では、プリセット領域１１１に当初表示されていた固定向け放送チャンネル「１０１」の受信状態が悪化し、固定向け放送チャンネル「１０１」に対応する（同じ番組を放送している）携帯向け放送チャンネル「２０１」の受信状態は良好であったので、プリセット領域１１１には、携帯向け放送チャンネルの番号「２０１」がプリセットし直されている。逆に、プリセット領域１１７に当初表示されていた携帯向け放送チャンネル「２２２」の受信状態が良好となったので、プリセット領域１１７には、携帯向け放送チャンネル「２２２」に対応する（同じ番組を放送している）固定向け放送チャンネルの番号「１２２」がプリセットし直されている。他のプリセット領域１１２〜１１６及び１１８は、前回と受信状態が変化していないので、同じ放送チャンネルの番号がそのままプリセット表示されている。
【００６３】
図５に示す更新処理フローに従えば、受信状態に応じて、プリセットを更新することができるので、受信状態に関わらず、放送チャンネルを容易に選択することが可能となる。
また、図５では、特別な更新処理フローを実行する方式について説明したが、図５に示すような特別な処理フローを用意しなくても、図２に示すオートプリセットの処理フローを、所定時間（例えば１０分毎）や、所定移動距離（例えば１０ｋｍ）毎に、自動的に図２に示す処理フローを実行して、プリセットされるチャンネルを最適化するように制御しても良い。
【００６４】
上記のオートプリセットの処理フロー（図２参照）及び更新プリセットの処理フロー（図５参照）の例では、固定向け放送チャンネルの番号を優先的にプリセット表示するように構成した。しかしながら、携帯向け放送チャンネルの番号を優先的にプリセット表示できるようにユーザがタッチパネルＳＷ６２等を用いてマニュアル設定できるように構成することもできる。
【００６５】
さらに、上記のオートプリセットの処理フロー（図２参照）の例では、固定向け放送チャンネルの番号も携帯向け放送チャンネルの番号も自動的にプリセット表示されるように構成した。しかしながら、固定向け放送チャンネルの番号だけを自動的にプリセット表示できるように構成し、携帯向け放送チャンネルの番号はマニュアルで設定できるように構成することもできる。さらに、固定向け放送チャンネルの番号だけを自動的にプリセット表示するように処理するのか、携帯向け放送チャンネルの番号だけを自動的にプリセット表示するように処理するのか、両方とも自動的にプリセット表示するように処理するのかを、例えば、タッチパネルＳＷ６２等を用いて、ユーザがマニュアルで設定できるようにできるように構成しても良い。
【００６６】
さらに、上記の更新プリセットの処理フロー（図５参照）の例では、固定向け放送チャンネルの番号も携帯向け放送チャンネルの番号も更新されるように構成した。しかしながら、固定向け放送チャンネルの番号だけを更新できるように構成し、携帯向け放送チャンネルの番号はそのまま維持するように設定できるように構成することもできる。さらに、固定向け放送チャンネルの番号だけを更新するように処理するのか、携帯向け放送チャンネルの番号だけを更新するように処理するのか、両方とも更新するように処理するのかを、例えば、タッチパネルＳＷ６２等を用いて、ユーザがマニュアルで設定できるようにできるように構成しても良い。
【００６７】
さらに、上記のオートプリセットの処理フロー（図２参照）及び上記の更新プリセットの処理フロー（図５参照）の例では、固定向け放送チャンネルが選択されれば、固定向けに対応した映像及び音声が表示及び出力されるように構成した。しかしながら、音声については両者間で品質に大きな差がないことから、音声は常に携帯向け放送チャンネルに対応した音声が出力し、映像だけを切り替えるように構成しても良い。さらに、固定向け放送チャンネルに対応した映像を表示する場合に、どちらの音声を利用するのかを、例えば、タッチパネルＳＷ６２等を用いて、ユーザがマニュアルで設定できるようにできるように構成しても良い。
【図面の簡単な説明】
【００６８】
【図１】本発明に係るデジタルデータ受信機の概要を示すブロック図である。
【図２】オートプリセットの処理フローの一例を示す図である。
【図３】放送チャンネルの一例を示す図である。
【図４】表示画面の一例を示す図である。
【図５】更新処理フローの処理フローの一例を示す図である。
【図６】表示画面の変更例を示す図である。
【符号の説明】
【００６９】
１０    デジタルデータ受信機
１２    チューナ部
１４    ＯＦＤＭ復調処理部
１６    ＴＳデコード処理部
１８    第１音声デコーダ
１９    第２音声デコーダ
２０    第１映像デコーダ
２１    第２映像デコーダ
２２    音声切換処理部
２４    映像切換処理部
２６    提示処理部
３３    ＲＯＭ
３４    制御部
５０    スピーカ
６０    表示部
７０    リモコン
【図１】
2007006334.tif 000003
【図２】
2007006334.tif 000004
【図３】
2007006334.tif 000005
【図４】
2007006334.tif 000006
【図５】
2007006334.tif 000007
【図６】
2007006334.tif 000008